(57)【要約】【課題】  多数の測定点に対応するため感知部，出力部は多数組を設ける構成において、光伝送路は必要最低限の２本にすることができ、２本の光伝送路により多数の電流検出が行える光ファイバ電流センサ装置を提供すること【解決手段】  センサファイバ１を主要素とする感知部１０と、光電変換による信号処理を行う出力部２０とを複数設け、それら感知部１０…と出力部２０…との間に２本の光伝送路３１，３２を並列に配置して波長分割多重による光の送受を行う。センサファイバ１は先端に反射ミラー３を取り付けて反射方式とし、２本の光伝送路３１，３２には、それぞれ両端へ光合分波器３３を接続し、各光合分波器３３…に対して感知部１０…と出力部２０…とをそれぞれ接続する。光源５はＣ帯およびＬ帯の波長を含む広帯域の光を出力するものとし、第１光伝送路３１へサーキュレータ６を介して接続する。【選択図】  図１
2008215910.tif 000002
【特許請求の範囲】
【請求項１】
磁界に比例して光の偏波面が回転するファラデー効果を示すセンサファイバを導体の外周に周回状態に配置し、当該センサファイバへ光源から光を伝播させて先端で反射した後、前記センサファイバから出射する光を互いに直交する第１偏光と第２偏光に分離し、前記第１偏光を第１光伝送路へ送り戻すとともに、前記第２偏光を第２光伝送路へ送り戻し、前記第１光伝送路および前記第２光伝送路の他端側では取り込んだ前記第１偏光および前記第２偏光とを光電変換するとともに両者の平均処理を行う光ファイバ電流センサ装置において、
前記センサファイバ，当該センサファイバの先端に取り付ける反射ミラー，前記第１偏光および前記第２偏光とを分離して取り出す光学部とを備える感知部と、前記第１偏光および前記第２偏光とを光電変換するとともに両者の平均処理を行う出力部とはそれぞれ複数を設け、前記光源は前記第１光伝送路へ分光器を介して接続してＣ帯およびＬ帯の波長を含む広帯域の光を出力し、前記第１光伝送路および前記第２光伝送路にはそれぞれ両端へ光合分波器を接続し、各光合分波器に対して前記感知部と前記出力部とを接続して波長分割多重により光の送受を行うことを特徴とする光ファイバ電流センサ装置。
【請求項２】
前記光源として、波長が異なる複数のレーザ光源および光合分波器を備えて、それらレーザ光源を前記光合分波器へ接続することによりＣ帯およびＬ帯の波長を含む広帯域の光を出力する構成とすることを特徴とする請求項１に記載の光ファイバ電流センサ装置。
【請求項３】
保護継電装置を備えるとともに、当該保護継電装置が出力するトリップ信号を光信号へ変換するトリップ信号光変換部と、光信号から元のトリップ信号へ逆に変換するトリップ信号逆変換部とを備えて、前記トリップ信号光変換部を前記光源の出力側へ配置して接続し、前記トリップ信号逆変換部は前記感知部側へ配置して前記第１光伝送路へ接続し、前記トリップ信号に係る光伝送を前記第１光伝送路へ重畳させることを特徴とする請求項１，２に記載の光ファイバ電流センサ装置。
【請求項４】
前記トリップ信号光変換部の出力側へ分光器を介在させて前記第２光伝送路に対しても接続を分岐し、前記感知部側では前記トリップ信号逆変換部を前記第２光伝送路に対しても配置して接続し、前記トリップ信号に係る光伝送を前記第１光伝送路および前記第２光伝送路へ重畳させることを特徴とする請求項３に記載の光ファイバ電流センサ装置。
【発明の詳細な説明】
【技術分野】
【０００１】
本発明は、センサファイバを通過する光のファラデー効果を利用して電流検出を行う光ファイバ電流センサ装置に関するもので、より具体的には、測定点へ配置するセンサファイバを主要素とする感知部と、光電変換による信号処理を行う出力部とを複数設ける構成における光伝送の改良に関する。
【背景技術】
【０００２】
架空送電線や地中送電線などの電力系統では事故点の探索が重要な課題であり、遠隔地点の電流の検出（測定）は欠かせない重要技術と言える。電流測定に関して、センサファイバを通過する光のファラデー効果を利用して電流検出を行う技術がよく知られており、電磁雑音の影響がなく、電気的な絶縁が容易である等の利点があって好まれている。
【０００３】
光ファイバ電流センサ装置は、例えば特許文献１などに見られるように、磁界に比例して光の偏波面が回転するファラデー効果を示すセンサファイバを導体の外周に周回状態に配置し、当該センサファイバの先端に反射ミラーを取り付けて光を往復させる反射方式の構成がある。
【０００４】
特許文献１のものでは、センサファイバを主要素とする感知部は遠隔した測定点に配置し、光電変換による信号処理を行う出力部を監視地に配置し、両者間に光ファイバによる光伝送路を設けて光の送受を行う構成を採っている。光伝送路は２本を設けて位相が異なる２つの光信号により、外乱による複屈折の影響をキャンセルし、電流測定の精度を向上するようにしている。
【特許文献１】特開２００６−４６９７８号公報
【発明の開示】
【発明が解決しようとする課題】
【０００５】
しかしながら、そうした従来の光ファイバ電流センサ装置では以下に示すような問題がある。
【０００６】
一般に光伝送路による情報通信では、時分割多重伝送技術や波長分割伝送技術などの多重化伝送技術が既に確立されており、単一の光伝送路で複数かつ大容量の情報を効率よく伝送できる。しかしながら、従来の光ファイバ電流センサ装置では、感知部と出力部との１組について２本の光伝送路を必要とするため、測定点が多数になると感知部、出力部は対応する多数組を設けることはもちろんであるが、伝送路も対応して２倍の多数本が必要となる。このため、測定点が多くなると光ファイバ電流センサ装置で多数本の光伝送路を占有することになり、光伝送路の利用率の低下を招く問題がある。
【０００７】
この発明は上記した課題を解決するもので、その目的は、多数の測定点に対応するため感知部，出力部は多数組を設ける構成において、光伝送路は必要最低限の２本にすることができ、２本の光伝送路により多数の電流検出が行える光ファイバ電流センサ装置を提供することにある。
【課題を解決するための手段】
【０００８】
上記した目的を達成するために、本発明に係る光ファイバ電流センサ装置は、磁界に比例して光の偏波面が回転するファラデー効果を示すセンサファイバを導体の外周に周回状態に配置し、当該センサファイバへ光源から光を伝播させて先端で反射した後、前記センサファイバから出射する光を互いに直交する第１偏光と第２偏光に分離し、前記第１偏光を第１光伝送路へ送り戻すとともに、第２偏光を第２光伝送路へ送り戻し、第１光伝送路および第２光伝送路の他端側では取り込んだ第１偏光および第２偏光とを光電変換するとともに両者の平均処理を行う光ファイバ電流センサ装置において、センサファイバ，当該センサファイバの先端に取り付ける反射ミラー，第１偏光および第２偏光とを分離して取り出す光学部とを備える感知部と、第１偏光および第２偏光とを光電変換するとともに両者の平均処理を行う出力部とはそれぞれ複数を設け、光源は第１光伝送路へ分光器を介して接続してＣ帯およびＬ帯の波長を含む広帯域の光を出力し、第１光伝送路および第２光伝送路にはそれぞれ両端へ光合分波器を接続し、各光合分波器に対して感知部と出力部とを接続して波長分割多重により光の送受を行う構成にする。
【０００９】
光源としては、波長が異なる複数のレーザ光源および光合分波器を備えて、それらレーザ光源を前記光合分波器へ接続することによりＣ帯およびＬ帯の波長を含む広帯域の光を出力する構成とすることもよい。
【００１０】
また、保護継電装置を備えるとともに、当該保護継電装置が出力するトリップ信号を光信号へ変換するトリップ信号光変換部と、光信号から元のトリップ信号へ逆に変換するトリップ信号逆変換部とを備えて、トリップ信号光変換部を光源の出力側へ配置して接続し、トリップ信号逆変換部は感知部側へ配置して第１光伝送路へ接続し、トリップ信号に係る光伝送を第１光伝送路へ重畳させる構成にする。
【００１１】
また、トリップ信号光変換部の出力側へ分光器を介在させて第２光伝送路に対しても接続を分岐し、感知部側ではトリップ信号逆変換部を第２光伝送路に対しても配置して接続し、トリップ信号に係る光伝送を第１光伝送路および第２光伝送路へ重畳させる構成にする。
【００１２】
係る構成にすることにより本発明では、光源からＣ帯およびＬ帯の波長を含む広帯域の光を出力し、第１光伝送路，第２光伝送路の両端で光合分波器により光の合波，分波を行うので、光の送受は波長分割多重の伝送となる。
【発明の効果】
【００１３】
本発明に係る光ファイバ電流センサ装置では、光源からＣ帯およびＬ帯の波長を含む広帯域の光を出力し、第１光伝送路，第２光伝送路の両端で光合分波器により光の合波，分波を行うので、光の送受は波長分割多重の伝送となる。したがって、多数の測定点に対応するため感知部，出力部は多数組を設ける構成において、光伝送路は必要最低限の２本にすることができ、２本の光伝送路により多数の電流検出が行える。
【発明を実施するための最良の形態】
【００１４】
（第１の実施の形態）
図１は本発明の第１の実施の形態を示している。本形態において、光ファイバ電流センサ装置は、測定点へ配置したセンサファイバ１を通過する光のファラデー効果を利用して電流検出を行うものであって、センサファイバ１を主要素とする感知部１０と、光電変換による信号処理を行う出力部２０とを複数設け、それら感知部１０…と出力部２０…との間に第１光伝送路３１，第２光伝送路３２の２本を並列に配置し、２本の光伝送路において波長分割多重による光の送受を行う構成になっている。
【００１５】
センサファイバ１は、例えば鉛ガラスを素材とする光ファイバとし、導体２の外周に周回状態に配置する。鉛ガラスによれば光弾性効果をほとんど示さない特性にでき、磁界に比例して光の偏波面が回転するファラデー効果を良好に得ることができる。このセンサファイバ１の先端に反射ミラー３を取り付け、他端は光学部４へ接続している。これらセンサファイバ１，反射ミラー３，光学部４とが感知部１０となり、光学部４は反射ミラー３により反射した戻り光のうち直交する２つの偏光（第１偏光，第２偏光と呼ぶことにする）を分離して取り出すようになっている。
【００１６】
出力部２０は、第１偏光および第２偏光とを光電変換するとともに両者の平均処理を行うようになっている。第１光伝送路３１および第２光伝送路３２には、それぞれ両端へ光合分波器３３を接続し、各光合分波器３３…に対して感知部１０…と出力部２０…とをそれぞれ接続している。これら光伝送路３１，３２には、シングルモードの光ファイバを使用することが好ましい。
【００１７】
光源５は、Ｃ帯およびＬ帯の波長を含む広帯域の光（λ_1〜λ_4）を出力するものとし、第１光伝送路３１へサーキュレータ６を介して接続している。
【００１８】
光源５としては、低偏光で高輝度が得られるＡＳＥ光源などが好ましい。また例えば、波長が異なる複数のレーザ光源および光合分波器を備えて、それらレーザ光源を光合分波器へ接続することによりＣ帯およびＬ帯の波長を含む広帯域の光を出力する構成とすることもよい。
【００１９】
光合分波器３３は、送信側では波長の異なる複数の光信号を合波する光合波器として機能し、受信側では１本の光伝送路を伝播してきた波長の異なる複数の光信号を各波長ごとに分波する光分波器として機能する。光を合波，分波するための部品にはプリズム，干渉膜フィルタ，回折格子などを用いることができる。
【００２０】
光源５から出射した光は、サーキュレータ６の導きにより第１光伝送路３１へ入射して伝播し、先端の光合分波器３３により各波長λ_1〜λ_4に分波する。各感知部１０において、それぞれ対応する波長λ_1〜λ_4の光が入射するので、光は光学部４を通過してセンサファイバ１へ入射し、先端の反射ミラー３で反射するので反射した戻り光が光学部４側へ戻ってくる。この戻り光はセンサファイバ１の往路と復路との両方でファラデー効果により偏波面が回転しており、光学部４の分離によって第１偏光が第１光伝送路３１へ出射して戻るとともに、第１偏光と直交する第２偏光が第２光伝送路３２へ出射して戻る。
【００２１】
第１光伝送路３１および第２光伝送路３２の他端には、光合分波器３３をそれぞれ設けているので、感知部１０側から伝播した光（第１偏光，第２偏光）は光合分波器３３により各波長λ_1〜λ_4に分波する。そして、各出力部２０において、それぞれ対応する波長λ_1〜λ_4の光が入射するので、取り込んだ第１偏光および第２偏光とを光電変換するとともに両者の平均処理を行う。これにより、導体２を流れる電流に対応した電気信号が得られる。
【００２２】
磁界に比例して光の偏波面が回転するファラデー効果では、比例係数のベルデ定数は物質の種類と光の波長および温度に依存する定数であり、複数の出力部２０は測定に用いている光の波長が相違しているので、原理的な誤差（比誤差）が異なる関係になってしまう。これは複数の感知部１０で誤差特性がばらつくため好ましくなく、各出力部２０については調整を行い、誤差特性を同一誤差基準内に収めるようにしている。
【００２３】
このように、光源５からＣ帯およびＬ帯の波長を含む広帯域の光（λ_1〜λ_4）を出力し、第１光伝送路３１，第２光伝送路３２の両端で光合分波器３３により光の合波，分波を行うので、光の送受は波長分割多重の伝送となる。すなわち本発明にあっては、多数の測定点に対応するため感知部１０，出力部２０は多数組を設ける構成において、光伝送路は必要最低限の２本にすることができ、２本の光伝送路３１，３２により多数の電流検出が行える。
【００２４】
本発明に係る光ファイバ電流センサ装置を試作して特性試験を行ったところ、多重化による相互の干渉が０．５％以内であることを確認した。このとき、比誤差特性は、４０Ａでは＋２％，−２％以内、２０００Ａでは＋１％，−１％以内、４００００Ａでは−１０％以内であった。温度特性は、−２０℃から＋６０℃において＋２％，−２％以内であった。その結果、多重化による誤差の増大はなく、電流測定を高精度に行えることを確認した。
【００２５】
（第２の実施の形態）
図２は本発明の第２の実施の形態を示している。本形態において、光ファイバ電流センサ装置は、図１に示す波長分割多重の光伝送路構成に対して保護継電装置７を備えて、保護継電装置７が出力するトリップ信号を光信号へ変換し、そのトリップ信号に係る光伝送を第１光伝送路３１へ重畳させて伝送する構成になっている。
【００２６】
光源５とサーキュレータ６との間に、分波器７１，光スイッチ７２，合波器７３を配置している。光源５は分波器７１へ接続し、分波器７１では１つの波長λ_4を分波して光スイッチ７２へ入射させる。光スイッチ７２には保護継電装置７が出力するトリップ信号を入力してスイッチング動作を行わせる。これにより、光スイッチ７２はトリップ信号に応じた光信号を出力し、トリップ信号を光信号へ変換するトリップ信号光変換部として機能する。光スイッチ７２からトリップ信号に応じた光信号を合波器７３へ送り、合波器７３では分波器７１から取り込んだ他の波長の光と合波して合波出力をサーキュレータ６へ送る。
【００２７】
感知部１０側には光電変換器７４を配置して第１光伝送路３１へ連なる光合分波器３３へ接続する。光電変換器７４は取り込んだ光を電気信号へ変換し、光信号（波長λ_4）から元のトリップ信号へ逆に変換するトリップ信号逆変換部として機能する。
【００２８】
この場合、多数の電流測定について多重化伝送が行えるとともに、保護継電装置７のトリップ信号を多重化伝送することができ、電力系統での事故点の探索において利便性を向上できる。
【００２９】
（第３の実施の形態）
図３は本発明の第３の実施の形態を示している。本形態において、光ファイバ電流センサ装置は、図２に示す第２の実施形態と同様に保護継電装置７を備えてトリップ信号に係る光伝送を行う構成を採るが、そのトリップ信号に係る光伝送は第１光伝送路３１と第２光伝送路３２の２者へ重畳させて２重に伝送する構成になっている。
【００３０】
つまり、光スイッチ７２と合波器７３の間に分光器７５を設けて光信号Ｔ２を分岐し、その光信号Ｔ２を第２光伝送路３２へ送る。そして、感知部１０側には光電変換器７４を２つ配置して第２光伝送路３２へ連なる光合分波器３３に対しても接続する。２つの光電変換器７４の出力はＡＮＤ回路７６へ送り、両者の論理和を真のトリップ信号とする。
【００３１】
この場合も、多数の電流測定について多重化伝送が行えるとともに、保護継電装置７のトリップ信号を多重化伝送することができ、電力系統での事故点の探索において利便性を向上できる。そして、トリップ信号は２つの光伝送路３１，３２により２重に伝送するので信頼性を格段に向上できる。
【図面の簡単な説明】
【００３２】
【図１】本発明に係る光ファイバ電流センサ装置の好適な一実施の形態を示す構成図である。
【図２】本発明に係る光ファイバ電流センサ装置の第２の実施の形態を示す構成図である。
【図３】本発明に係る光ファイバ電流センサ装置の第３の実施の形態を示す構成図である。
【符号の説明】
【００３３】
１  センサファイバ
２  導体
３  反射ミラー
４  光学部
５  光源
６  サーキュレータ
７  保護継電装置
１０  感知部
２０  出力部
３１  第１光伝送路
３２  第２光伝送路
３３  光合分波器
７１  分波器
７２  光スイッチ
７３  合波器
７４  光電変換器
７５  分光器
７６  ＡＮＤ回路
【図１】
2008215910.tif 000003
【図２】
2008215910.tif 000004
【図３】
2008215910.tif 000005